(57)【特許請求の範囲】
【請求項１】
システム上サブ側となる第１の映像出力装置と、
第１の映像出力装置の出力側に接続されシステム上メイン側となる第２の映像出力装置と、
第２の映像出力装置の出力側に接続されシステムの最終的な映像を表示するモニタ装置と、
第２の映像出力装置の画面制御状態を検出しこの画面制御状態に合せて第１の映像出力装置の画面制御状態を規制する出力制御装置と、を備え、
前記第１および第２の映像出力装置は複数の入力映像信号を合成して２画面を同時に表示する２画面同時表示機能を有し、
前記出力制御装置は第２の映像出力装置が第１の映像出力装置からの映像信号と他の映像信号とを合成して２画面同時表示を行っていることを検出すると、第１の映像出力装置の画面制御状態を１画面出力状態に規制することを特徴とする画面制御装置。
【請求項２】
システム上サブ側となる第１の映像出力装置と、
第１の映像出力装置の出力側に接続されシステム上メイン側となる第２の映像出力装置と、
第２の映像出力装置の出力側に接続されシステムの最終的な映像を表示するモニタ装置と、
第２の映像出力装置の画面制御状態を検出しこの画面制御状態に合せて第１の映像出力装置の画面制御状態を規制する出力制御装置と、を備え、
前記第１および第２の映像出力装置はモニタ装置で表示する画面のアスペクト比を切り替えるアスペクト比切替え機能を有し、
出力制御装置は第２の映像出力装置から出力される映像信号のアスペクト比に合わせて第１の映像出力装置から出力される映像信号のアスペクト比を同一比に規制することを特徴とする画面制御装置。
【発明の詳細な説明】
【０００１】
【発明の属する技術分野】
本発明は、モニタ画面に２画面を同時に表示したり、画面のアスペクト比を切り替えたりすることができる画面制御装置に関する。
【０００２】
【従来の技術】
図２は、２画面同時表示機能およびアスペクト比切替え機能を備えた従来の画面制御装置のブロック図である。この画面制御装置は、２つの映像信号Ｓ１，Ｓ２を入力し映像信号Ｓ３を出力する映像出力装置１と、２つの映像信号Ｓ３，Ｓ４を入力し映像信号Ｓ５を出力する映像出力装置２と、映像信号Ｓ５による画像を表示するモニタ装置３とを備える。
【０００３】
このように、画面制御装置はシステム上サブ側（またはクラインアント側）となる映像出力装置１と、システム上メイン側（またはサーバー側）となる映像出力装置２とを備え、各装置１，２はそれぞれ独立して２画面同時表示機能およびアスペクト比切替え機能を有している。
【０００４】
【発明が解決しようとする課題】
しかしながら、従来の画面制御装置においては、映像出力装置１，２がそれぞれ独立して２画面同時表示機能やアスペクト比切替え機能等の画面制御機能を有するため、映像出力装置２がモニタ装置３の画面で、図３（ａ）に示すように、映像信号Ｓ４による画像３ａと映像信号Ｓ３（映像信号Ｓ１またはＳ２）による画像３ｂとの２画面同時表示を行っているときに、映像出力装置１が映像信号Ｓ１，Ｓ２による２画面同時表示を行う映像信号Ｓ３を出力すると、映像出力装置２からは映像信号Ｓ１，Ｓ２，Ｓ４による３画面同時表示の映像信号Ｓ５が出力される。
【０００５】
このため、モニタ装置３の画面には、図３（ｂ）に示すように、映像信号Ｓ４による画像３ａと、映像信号Ｓ１による画像３ｃと、映像信号Ｓ２による画像３ｄとからなる３画面同時表示がなされてしまうという不都合が生じる。
【０００６】
また、映像出力装置２がアスペクト比「４：３」でモニタ装置３に画像を表示しているときに、映像出力装置１がアスペクト比「１６：９」の映像信号Ｓ３を出力すると、モニタ装置３の画面に表示されている画像が横方向に圧縮されて著しく美観を損ねた画像になってしまうという不都合が生じる。
【０００７】
本発明は、このような従来の課題を解決するためになされたもので、システム上サブ側（クライアント側）となる映像出力装置がシステム上メイン側（サーバー側）となる映像出力装置の画面制御状態を考慮して映像信号を出力することができる画面制御装置を提供することを目的とする。
【０００８】
【課題を解決するための手段】
本発明の画面制御装置は、システム上サブ側となる第１の映像出力装置と、第１の映像出力装置の出力側に接続されシステム上メイン側となる第２の映像出力装置と、第２の映像出力装置の出力側に接続されシステムの最終的な映像を表示するモニタ装置と、第２の映像出力装置の画面制御状態を検出しこの画面制御状態に合せて第１の映像出力装置の画面制御状態を規制する出力制御装置とを備えるものである。
【０００９】
本発明によれば、システム上サブ側（クライアント側）となる映像出力装置がシステム上メイン側（サーバー側）となる映像出力装置の画面制御状態を考慮して映像信号を出力することができる画面制御装置が得られる。
【００１０】
【発明の実施の形態】
本発明の請求項１に記載の発明は、システム上サブ側となる第１の映像出力装置と、第１の映像出力装置の出力側に接続されシステム上メイン側となる第２の映像出力装置と、第２の映像出力装置の出力側に接続されシステムの最終的な映像を表示するモニタ装置と、第２の映像出力装置の画面制御状態を検出しこの画面制御状態に合せて第１の映像出力装置の画面制御状態を規制する出力制御装置と、前記第１および第２の映像出力装置は複数の入力映像信号を合成して２画面を同時に表示する２画面同時表示機能を有し、前記出力制御装置は第２の映像出力装置が第１の映像出力装置からの映像信号と他の映像信号とを合成して２画面同時表示を行っていることを検出すると、第１の映像出力装置の画面制御状態を１画面出力状態に規制することを特徴とする画面制御装置であり、システム上メイン側となる映像出力装置の画面制御状態に合せてシステム上サブ側となる映像出力装置の画面制御状態を規制することにより常に最適な画面出力を得ることができ、また、システム上メイン側となる映像出力装置が２画面同時表示状態にあるときには、システム上サブ側となる映像出力装置を１画面出力状態に規制することにより最適な２画面同時出力を得ることができる。
【００１１】
請求項２に記載の発明は、システム上サブ側となる第１の映像出力装置と、第１の映像出力装置の出力側に接続されシステム上メイン側となる第２の映像出力装置と、第２の映像出力装置の出力側に接続されシステムの最終的な映像を表示するモニタ装置と、第２の映像出力装置の画面制御状態を検出しこの画面制御状態に合せて第１の映像出力装置の画面制御状態を規制する出力制御装置と、前記第１および第２の映像出力装置はモニタ装置で表示する画面のアスペクト比を切り替えるアスペクト比切替え機能を有し、  出力制御装置は第２の映像出力装置から出力される映像信号のアスペクト比に合わせて第１の映像出力装置から出力される映像信号のアスペクト比を同一比に規制することを特徴とする画面制御装置であり、システム上メイン側となる映像出力装置の画面制御状態に合せてシステム上サブ側となる映像出力装置の画面制御状態を規制することにより常に最適な画面出力を得ることができ、また、システム上メイン側となる映像出力装置のアスペクト比に合わせて第１の映像出力装置のアスペクト比を規制することにより最適なアスペクト比の画面出力を得ることができる。
【００１３】
以下、本発明の実施の形態について、図面を用いて説明する。
図１は、本発明による画面制御装置の一実施の形態を示すブロック図で、前述の図２に示す構成要素と同一部分には同一部号を付して説明する。本発明による画面制御装置は、システム上サブ側（またはクラインアント側）となる映像出力装置１と、システム上メイン側（またはサーバー側）となる映像出力装置２とを備え、映像出力装置２の出力側にはこのシステムにおける最終的な映像を出力するモニタ装置３が接続されている。
【００１４】
映像出力装置１は入力された映像信号Ｓ１，Ｓ２を加工し、２画面同時表示やアスペクト比切替え等の加工を行って映像信号Ｓ３として出力する。映像出力装置２も同様に入力された映像信号Ｓ３，Ｓ４を加工し、２画面同時表示やアスペクト比切替え等の加工を行って映像信号Ｓ５として出力する。
【００１５】
出力制御装置４は、映像出力装置２の画面制御状態を監視して映像出力装置１の画面制御を規制するもので、例えば映像出力装置２が映像信号Ｓ４による画像３ａと映像信号Ｓ３（映像信号Ｓ１またはＳ２）による画像３ｂとの２画面表示を行っているときには、映像出力装置１から映像信号Ｓ３として映像信号Ｓ１または映像信号Ｓ２のいずれか一方のみを出力するように規制する。
【００１６】
また、映像出力装置２から出力される映像信号Ｓ５によって形成される画像のアスペクト比と、映像出力装置１から出力される映像信号Ｓ３によって形成される画像のアスペクト比とが同一になるように映像出力装置１を規制する。
【００１７】
なお、前述の実施の形態では、映像出力装置１，２が２画面同時表示やアスペクト比切替え制御等の加工機能を有する場合について述べたが、加工機能についてはこれに限定されるものではない。
【００１８】
【発明の効果】
本発明によれば、システム上メイン側となる映像出力装置の画面制御状態を検出し、この画面制御状態に合せてシステム上サブ側となる映像出力装置の画面制御状態を規制するようにしたので、常に最適な画面出力を得ることができる。
【図面の簡単な説明】
【図１】本発明の一実施の形態による画面制御装置のブロック図
【図２】従来の画面制御装置のブロック図
【図３】従来の画面制御装置の動作説明図
【符号の説明】
１  第１の映像出力装置（サブ側またはクライアント側）
２  第２の映像出力装置（メイン側またはサーバー側）
３  モニタ装置
４  出力制御装置
【図１】
0003744124.tif 000002
【図２】
0003744124.tif 000003
【図３】
0003744124.tif 000004